(57)【要約】【課題】第１のマットレス部と第２のマットレス部との二層構造のマットレス装置において、各マットレス部を単独でローテーションさせることができるようにする。【解決手段】スプリングユニット３を第１の外装体１４によって被覆して構成された第１のマットレス部１と、エラストマーによって薄肉の隔壁が格子状に成形されたクッション体１７を第２の外装体２５によって被覆して構成された第２のマットレス部２と、第１のマットレス部の上面に第２のマットレス部を載置したときに、第２のマットレス部を第１のマットレス部に着脱可能に連結する面状ファスナ１４ｄ，２５ｄを具備する。【選択図】      図２
2014171726.tif 000002
【特許請求の範囲】
【請求項１】
スプリングユニットを第１の外装体によって被覆して構成された第１のマットレス部と、
エラストマーによって薄肉の隔壁が格子状に成形されたクッション体を第２の外装体によって被覆して構成された第２のマットレス部と、
上記第１のマットレス部の上面に上記第２のマットレス部を載置したときに、この第２のマットレス部を上記第１のマットレス部に着脱可能に連結する連結手段と
を具備したことを特徴とするマットレス装置。
【請求項２】
上記第１の外装体と上記第２の外装体は、上記第２のマットレス部の上記クッション体が圧縮されたとき、このクッション体内部の空気を上記第２のマットレス部の内部から上記第１のマットレス部の内部に逃がす通気性を備えていることを特徴とする請求項１記載のマットレス装置。
【請求項３】
上記第２の外装体の外周面には、上記第１のマットレス部から上記第２のマットレス部内に流入した空気を外部に逃がす排気部が形成されていることを特徴とする請求項２記載のマットレス装置。
【請求項４】
上記連結手段は、上記第１の外装体の上面と、上記第２の外装体の下面にそれぞれ設けられた面状ファスナであることを特徴とする請求項１記載のマットレス装置。
【請求項５】
上記スプリングユニットの上下面と、上記クッション体の上下面にはそれぞれシート状のクッション材が設けられていて、少なくとも上記スプリングユニットの上面と上記クッション体の上下面に設けられたクッション材は通気性を備えていることを特徴とする請求項１記載のマットレス装置。
【発明の詳細な説明】
【技術分野】
【０００１】
この発明は利用者の身体を大きな反発力を生じることなく弾性的に支持することのできるマットレス装置に関する。
【背景技術】
【０００２】
たとえば、ベッド用のマットレス装置においては、快適な寝心地を損なうことなく人体を弾性的に支持する機能、すなわち良好なクッション性能が要求される。
【０００３】
通常、上記マットレス装置はスプリングユニットを有し、このスプリングユニットの上下面にシート状の弾性材を積層し、この積層体を外装体によって被覆して構成されている。上記スプリングユニットは、多数のコイルばねをヘリカル線によって行列状に連結して形成されている。
【０００４】
スプリングユニットが用いられたマットレス装置の場合、スプリングユニットを構成するコイルばねは利用者の荷重を受けて圧縮変形すると、その変形量に応じて反発力を生じるから、その反発力によってマットレス装置上に仰臥した利用者は身体が圧迫され、快適な寝心地が損なわれるということがある。
【０００５】
そこで、上記スプリングユニットに代わり、ゲル化材料によって形成されたクッション体を用いることが提案されている。ゲル化材料によって形成されたクッション体は、高い熱容量と高効率の熱伝達を有するため、手触りが冷たいということがあったり、製造コストが高くなるということがあったり、さらに拘束された状態ではほとんど緩衝力がないなどのことがあり、クッション体を形成するには適していないということがあった。
【０００６】
そこで、エラストマーによって形成されたクッション体に、隔壁によって囲まれた複数の空洞の柱（空間部）を形成することで、上述した問題を解消するということが行なわれている。
【０００７】
しかしながら、エラストマーによって形成されたクッション体は、反発力を生じることなく利用者の身体を支持することができるという利点を有するものの、マットレス装置としての良好なクッション性能が得られないということがある。
【０００８】
そこで、エラストマーによって形成されたクッション体をスプリングユニット上に積層し、この積層体を布地によって縫製された外装体で被覆することで、利用者に対する反発力が小さく、しかも良好なクッション性能を呈することができるマットレス装置が提案されている。
【先行技術文献】
【特許文献】
【０００９】
【特許文献１】特許第４８６６０３０号公報
【発明の概要】
【発明が解決しようとする課題】
【００１０】
ところで、マットレス装置は所定期間使用する毎に、マットレス装置の使用部位を前後方向、左右方向或いは上下面（表裏）方向に変更する、いわゆるローテーションを行うようにしている。
【００１１】
それによって、マットレス装置の使用頻度の高い部位が早期に劣化するのを防止するということが行われている。つまり、上記マットレス装置を構成するスプリングユニットや弾性材が部分的に早期に劣化するのを防止するようにしている。
【００１２】
ところで、マットレス装置が上述したようにエラストマーによって形成されたクッション体をスプリングユニット上に積層し、上記クッション体とスプリングユニットが上記外装体によって一体化された構成であると、上記スプリングユニットを所定期間使用した後、上記クッション体のローテーションを行うためには、上記スプリングユニットとともに上記クッション体の方向変換を行わなければならないということになる。つまり、上記クッション体だけを単体でローテーションするということができないということになる。
【００１３】
そのため、上記クッション体のローテーションを容易に行うことができないということがある。しかも、上記クッション体が上記スプリングユニットと上記外装体によって一体化されていることによって、上記スプリングユニットに対して上記クッション体だけを、たとえば表裏面が逆になるようローテンションさせるなどのことができないということがあり、非常に不便であるということがあった。
【００１４】
この発明は、マットレス装置を第１のマットレス部と第２のマットレス部との二層構造とし、各マットレス部を単独で上下方向、左右方向或いは表裏方向に対してローテーションさせることができるようにしたマットレス装置を提供することにある。
【課題を解決するための手段】
【００１５】
この発明は、スプリングユニットを第１の外装体によって被覆して構成された第１のマットレス部と、
エラストマーによって薄肉の隔壁が格子状に成形されたクッション体を第２の外装体によって被覆して構成された第２のマットレス部と、
上記第１のマットレス部の上面に上記第２のマットレス部を載置したときに、この第２のマットレス部を上記第１のマットレス部に着脱可能に連結する連結手段と
を具備したことを特徴とするマットレス装置にある。
【００１６】
上記第１の外装体と上記第２の外装体は、上記第２のマットレス部の上記クッション体が圧縮されたとき、このクッション体内部の空気を上記第２のマットレス部の内部から上記第１のマットレス部の内部に逃がす通気性を備えていることが好ましい。
【００１７】
上記第２の外装体の外周面には、上記第１のマットレス部から上記第２のマットレス部内に流入した空気を外部に逃がす排気部が形成されていることが好ましい。
【００１８】
上記連結手段は、上記第１の外装体の上面と、上記第２の外装体の下面にそれぞれ設けられた面状ファスナであることが好ましい。
【００１９】
上記スプリングユニットの上下面と、上記クッション体の上下面にはそれぞれシート状のクッション材が設けられていて、少なくとも上記スプリングユニットの上面と上記クッション体の上下面に設けられたクッション材は通気性を備えていることが好ましい。
【発明の効果】
【００２０】
この発明によれば、スプリングユニットからなる第１のマットレス部とエラストマーによって薄肉の隔壁が格子状に成形されたクッション体からなる第２のマットレス部を備えたマットレス装置において、上記第１のマットレス部に対して第２のマットレス部を分離できるようにした。
【００２１】
そのため、所定期間使用したときなど、上記第１のマットレス部を第２のマットレス部から取り外し、単独で上下方向、左右方向或いは表裏方向に対してローテーションさせることができる。
【００２２】
しかも、第２のマットレス部を第１のマットレス部から分離することで、第１のマットレス部のローテーションも単独で行うことが可能となる。
【００２３】
つまり、第１のマットレス部と第２のマットレス部のローテーションを、他方のマットレス部の影響をほとんど受けることなく、それぞれ単独で容易に行うことが可能となる。
【図面の簡単な説明】
【００２４】
【図１】この発明の一実施の形態を示し、（ａ）はマットレス装置の平面図、（ｂ）は正面図、（ｃ）は側面図。
【図２】マットレス装置の第１のマットレス部と第のマットレス部との一部を拡大して示した断面図。
【図３】第１のマットレス部に使用されるばね体の一部を示す斜視図。
【図４】第２のマットレス部に使用されるクッション体を示す斜視図。
【発明を実施するための形態】
【００２５】
以下、この発明の一実施の形態を図面を参照して説明する。図１（ａ）〜（ｃ）はマットレス装置Ｍを示す図であって、このマットレス装置Ｍは第１のマットレス部１の上面に第２のマットレス部２が後述するように着脱可能に連結されて載置される。
【００２６】
図２に示すように、上記第１のマットレス部１はスプリングユニット３を備えている。このスプリングユニット３は、複数のばね体４（１つのみ図示）を並設して形成されている。上記ばね体４は、図３に示すように１本の線材によって上端と下端とがそれぞれ上部連結杆５と下部連結杆６とによって連続して形成された複数のばね部７を有する。隣り合うばね部７はその一部を絡ませている。
【００２７】
複数の隣り合うばね体４（１つだけ図示）は、それぞれの上端面と下端面とがばね体４の並設方向と交差する方向に設けられたヘリカル線８によって連結されている。並設されたばね体４がなす上面と下面との周縁部には図２に示すように枠線９がクリップ１０よって連結されている。  
なお、上記スプリングユニット３は上述したばね体４に代わってコイルスプリングを行列状に連結した構成であってもよい。
【００２８】
上記スプリングユニット３の上下面には通気性を有する素材である不織布１２を介してシート状の弾性材１３が積層されている。上記弾性材１３は通気性及びクッション性を有するよう、たとえば連続発泡のウレタンフォームが用いられている。
【００２９】
上記スプリングユニット３と、上記不織布１２及び弾性材１３の積層体は第１の外装体１４によって被覆されている。この第１の外装体１４は、上記スプリングユニット３の上下上面に設けられる一対の鏡地１４ａ，１４ｂと、上記スプリングユニット３の外周面に設けられるまち地１４ｃからなる。そして、このまち地１４ｃの上下端に上記一対の鏡地１４ａ，１４ｂの周縁部がテープエッジ１５によって縫合される。
【００３０】
上記第１の外装体１４を構成する一対の鏡地１４ａ，１４ｂとまち地１４ｃのうち、少なくとも上側の鏡地１４ａは下側の鏡地１４ｂやまち地１４ｃに比べて通気性の大きな素材、たとえば編み目の大きな布地が用いられ、上記まち地１４ｃには図１（ｂ）に示すように一対の側面（一方のみ図示）に所定間隔で排気部を形成する鳩目１６が設けられている。
【００３１】
なお、上記第１の外装体１４の下鏡地１４ｂ及びまち地１４ｃを上鏡地１４ａと同様、通気性を備えた素材によって形成するようにしてもよい。その場合、上記まち地１４ｃは全体が通気性を備えた排気部となるから、上記まち地１４ｃに鳩目１６を設けなくてもよい。
【００３２】
上記第２のマットレス部２はクッション体１７を有する。このクッション体１７は図２と図４に示すようにエラストマーによって矩形枠状に形成された外側隔壁１８ａと、この外側隔壁１８ａ内に格子状に設けられた内側隔壁１８ｂとによって内部が格子状に区画された３つのブロック２１を一列に並べて構成されている。各ブロック２１の内部には上記外側隔壁１８ａの内部に上記内側隔壁１８ｂによって上下端が開放した複数の空洞１８ｃが区画形成されている。３つのブロック２１は互いの隣り合う外側隔壁１８ａを接着剤などによって一体的に結合されている。
【００３３】
上記クッション体１７がなす矩形の形状は、上記スプリングユニット３の平面形状よりも小さく設定されていて、その外周面にはウレタンフォームからなる枠状の側部弾性材２２が全長にわたって設けられている。上記側部弾性材２２は上記クッション体１７の周辺部を補強するために設けられている。  
なお、上記クッション体１７の各ブロック２１は通常、射出成形によって作られる。
【００３４】
上記各隔壁１８ａ，１８ｂの厚さは０．５ｍｍ〜５ｍｍ、好ましくは１．５〜３ｍｍである。硬度の高いエラストマーを用いて隔壁１８ａ，１８ｂを薄くしても、反対に硬度の低いエラストマーを用いて隔壁１８ａ，１８ｂを厚くしても、寝たときに自然なクッション性が失われる。人体の体重に対して、底付きすることなく、柔らかな自然なクッション性を出すには、エラストマーの硬度と、隔壁１８ａ，１８ｂの厚さが重要な要素となる。
【００３５】
このような観点からして、隔壁１８ａ，１８ｂにショアーＡ２５〜３５の硬度のエラストマーを用い、隔壁１８ａ，１８ｂの厚さを１．５〜３．０ｍｍにするのがよい。なお、この実施の形態では、外側隔壁１８ａは内側隔壁１８ｂよりも厚く形成されていて、荷重が加わらない状態で、各ブロック２１が形状を維持し易くしている。
【００３６】
エラストマーは、熱可塑性エラストマーやゴムである。熱可塑性エラストマーは、常温ではゴム状弾性体として挙動するが、温度上昇によって組成変形する物質である。熱可塑性エラストマーとしては、ポリスチレン系熱可塑性エラストマー、ポリオレフィン系熱可塑性エラストマー、ポリ塩化ビニル系熱可塑性エラストマー、ポリエステル系熱可塑性エラストマー、ポリウレタン系熱可塑性エラストマー、ポリアミド系熱可塑性エラストマー、１，２−ポリブタジエン系熱可塑性エラストマー、フッ素ゴム系熱可塑性エラストマー、塩素化ポリエチレン系熱可塑性エラストマー、動的架橋熱可塑性エラストマーなどが挙げられる。
【００３７】
また、ゴムとしては天然ゴム、合成ゴムが用いられる。合成ゴムとしてはポリブタジエンゴム、ポリイソプレンゴム、ブタジエンスチレンゴム、ブタジエンアクリルニトリルゴム、イソブチレンゴムなどが挙げられる。  
なお、上記クッション体１７は３つのブロック２１に分割して形成したが、３つのブロック２１に分割せずに、スプリングユニット３の平面形状よりも上記側部弾性材２２の大きさ分だけ小さな一体構造としてもよい。
【００３８】
図２に示すように、上記クッション体１７及びこのクッション体１７の周囲に設けられた側部弾性材２２がなす上下面にはそれぞれ通気性を有する素材である不織布２３を介してシート状の弾性材２４が積層されている。上記弾性材２４はたとえば連続発泡のウレタンフォームを用いることで、通気性及びクッション性を備えている。
【００３９】
周囲に上記側部弾性材２２が設けられた上記クッション体１７と、上記不織布２３及び上記弾性材２４の積層体は第２の外装体２５によって被覆されている。この第２の外装体２５は上記クッション体１７の上下上面に設けられる一対の鏡地２５ａ，２５ｂと、上記側部弾性材２２の外周面に設けられるまち地２５ｃからなる。このまち地２５ｃの上下端には上記一対の鏡地２５ａ，２５ｂの周縁部がテープエッジ２６によって縫合されている。
【００４０】
上記第２の外装体２５を構成する上下一対の鏡地２５ａ，２５ｂは通気性の大きな素材である、たとえば編み目の大きな布地などが用いられている。  
上記第１の外装体１４の上側の鏡地１４ａの上面と、上記第２の外装体２５の下側の鏡地２５ｂの下面には、互いに着脱可能に係着する、連結手段としての第１の面状ファスナ１４ｄと第２の面状ファスナ２５ｄがそれぞれ対応する位置に設けられている。
【００４１】
そのため、上記第１のマットレス部１の上面に上記第２のマットレス部２を載置すると、上記第１の面状ファスナ１４ｄと第２の面状ファスナ２５ｄが係着し、上記第１のマットレス部１に第２のマットレス部２が着脱可能に連結されるようになっている。
【００４２】
なお、上記第１のマットレス部１に上記第２のマットレス部２を連結する連結手段としては、上記面状ファスナ１４ｄ，２５ｄに代わりフォックであってもよい。
【００４３】
また、上記第１のマットレス部１のまち地１４ｃと、上記第２のマットレス部２のまち地２５ｃにそれぞれバンドを設け、これらのバンドを連結して上記第１のマットレス部１に上記第２のマットレス部２を着脱可能に連結する連結手段としてもよい。
【００４４】
上記構成のマットレス装置Ｍは、スプリングユニット３からなる第１のマットレス部１の上面に、エラストマーによって薄肉の外側隔壁１８ａと内側隔壁１８ｂとで空洞１８ｃが格子状に区画形成されたクッション体１７からなる第２のマットレス部２を積層して構成されている。
【００４５】
上記第２のマットレス部２は上記第１のマットレス部１の上面に着脱可能に連結されて設けられている。つまり、上記第２のマットレス部２は上記第１のマットレス部１から分離することができるようになっている。
【００４６】
そのため、所定期間使用して上記第２のマットレス部２のローテーション、つまり使用頻度の高い部分が早期に劣化するのを防止するため、前後方向、左右方向或いは表裏方向に対して向きを変えたい場合、上記第２のマットレス部２を第１のマットレス部１から分離することで、この第２のマットレス部２のローテーションを上記第１のマットレス部１に係わらず、容易に行うことができる。
【００４７】
しかも、上記第１のマットレス部１の上面から、上記第２のマットレス部２を分離することで、第２のマットレス部２の下側に設けられる上記第１のマットレス部１のローテーションも、容易に行うことができる。
【００４８】
つまり、マットレス装置Ｍが上記第１のマットレス部１と、このマットレス部１の上面に第２のマットレス部２が積層される、二層構造であっても、上側の第２のマットレス部２と下側の第１のマットレス部１を、それぞれ単独で取り扱うことができるから、各マットレス部１，２のローテーションを容易に行うことができる。
【００４９】
上記第２のマットレス部２のクッション体１７を構成するエラストマー、たとえばスチレン系エラストマーの場合、比重が１ｇ／ｃｍ３  程度あるため、上記第２のマットレス部２を高重量化させる原因となる。そのため、上記第２のマットレス部２が第１のマットレス部１と一体であると、マットレス装置Ｍの取扱いが容易でないということになる。
【００５０】
しかしながら、第１のマットレス部１に対して第２のマットレス部２を分離し、別々に取り扱うことができる構造であるため、マットレス装置Ｍの運搬などの取扱いを容易に行うことができる。
【００５１】
利用者が上記マットレス装置Ｍの上側に設けられた第２のマットレス部２の上面に仰臥すると、利用者の荷重によって上記第２のマットレス部２のエラストマーによって形成されたクッション体１７が圧縮変形される。
【００５２】
上記第２のマットレス部２のクッション体１７が圧縮変形されると、上記クッション体１７の空洞１８ｃ内の空気が加圧される、いわゆるポンピング作用が生じる。ポンピング作用が生じると、空洞１８ｃ内の加圧された空気が上記クッション体１７の下面に設けられた不織布２３、シート状の弾性材２４及び下側の鏡地２５ｂを通過する。
【００５３】
上記第２のマットレス部２の下側の鏡地２５ｂを通過した加圧空気は、第１のマットレス部１の上側の鏡地１４ａ、スプリングユニット３の上面に積層された不織布１２、及びシート状の弾性材１３を通過して上記第１のマットレス部１のスプリングユニット３が設けられた内部に流入する。そして、上記第１の外装体１４のまち地１４ｃに形成された鳩目１６から外部に流出することになる。
【００５４】
そのため、上記第２のマットレス部２のクッション体１７は、利用者の荷重を受けたとき、その荷重に応じて適度に圧縮変形するから、上記第１のマットレス部１のスプリングユニット３のクッション作用と相俟ってマットレス装置Ｍとしての良好な性能を呈することになる。
【００５５】
しかも、マットレス装置Ｍが利用者の荷重を受けたとき、上述したように上記第２のマットレス部２の上記クッション体１７がポンピング作用を呈し、そのポンピング作用によって外気が第２のマットレス部２の上面から内部を通過して下面から流出した後、上記第１のマットレス部１の内部に流入し、そのまち地２５ｃの鳩目１６から外部に流出する空気流が生じる。
【００５６】
それによって、利用者の発汗作用などによって湿気が生じても、その湿気は上記クッション体１７のポンピング作用によって生じる上述した空気流により、第１のマットレス部１の外周面から外部に放出され、第１のマットレス部１や第２のマットレス部２の内部に湿気がこもるのが防止される。その結果、第２のマットレス部２や第１のマットレス部１の内部にカビなどの細菌が発生するのを防止することができる。
【００５７】
上記一実施の形態では第１のマットレス部の上面と、第２のマットレス部の下面に連結手段として互いに係着する面状ファスナを設け、これらの面状ファスナによって第１のマットレス部と第２のマットレス部を分解可能に連結するようにしたが、連結手段としては面状ファスナに限られず、各マットレス部の上面と下面に互いに係脱するフォックを設けてもよい。また、各マットレス部の上面と下面或いは外周面にそれぞれ紐を設け、これらの紐を結んで第１のマットレス部と第２のマットレス部を分解可能に連結するようにしてもよい。
【符号の説明】
【００５８】
１…第１のマットレス部、２…第２のマットレス部、３…スプリングユニット、１４…第１の外装体、１６…鳩目（排気部）、１７…クッション体、１８ａ…外側隔壁、１８ｂ…内側隔壁、１８ｃ…空洞、２１…ブロック、２２…側部弾性材、２５…第２の外装体。
【図１】
2014171726.tif 000003
【図２】
2014171726.tif 000004
【図３】
2014171726.tif 000005
【図４】
2014171726.tif 000006